(57)【要約】      （修正有）【課題】靴の大きさに比例する紐穴の数に応じて、柔らかい弾性力（低弾性率）の中央領域をつま先側にセットでき、硬い弾性力（高弾性率）の左右領域を甲側からくるぶし側にかけてセットすることができる靴紐を提供する。【解決手段】中央領域Ａと、中央領域の両側に接続される同じ長さからなる２つの左右領域Ｂと、左右領域にそれぞれ接続される同じ長さからなる２つの係止領域Ｘとからなり、左右領域の引張弾性率は中央領域の引張弾性率よりも大きく、中央領域の長さは３０ｃｍであり、左右領域の長さは、装着される靴の左右各列の紐穴数に対し、紐穴数が左右各列４穴の場合は４ｃｍとし、紐穴数が左右各列５穴以上の場合は、増加する１穴毎に４ｃｍ長くなるように設定されている。【選択図】図１
0003226720.tif 000002
【実用新案登録請求の範囲】
【請求項１】
外部張力によって軸線方向に弾性変形可能な靴紐であって、
前記靴紐は、中央領域と、当該中央領域の両側に接続される同じ長さからなる２つの左右領域と、当該左右領域にそれぞれ接続される同じ長さからなる２つの係止領域とからなり、
前記左右領域の引張弾性率は前記中央領域の引張弾性率よりも大きく、
前記中央領域の長さは３０ｃｍであり、
前記左右領域の長さは、装着される靴の左右各列の紐穴数に対し、
前記紐穴数が左右各列４穴の場合は４ｃｍとし、
前記紐穴数が左右各列５穴以上の場合は、増加する１穴毎に４ｃｍ長くなるように設定されている、
ことを特徴とする弾性変形可能な靴紐。
【請求項２】
前記中央領域、前記左右領域、前記係止領域は、１本の組紐として編み込んで形成されている、
ことを特徴とする請求項１に記載の弾性変形可能な靴紐。
【請求項３】
前記組紐は、非伸縮性素材からなる複数の糸と複数の糸状ゴム素材とを軸線方向に編み込んだ組紐である、
ことを特徴とする請求項２に記載の弾性変形可能な組紐。
【請求項４】
前記弾性変形可能な靴紐は、断面が円形又は平状である、
ことを特徴とする請求項１ないし３のいずれか１項に記載の弾性変形可能な靴紐。
【請求項５】
前記弾性変形可能な靴紐は、全長に渡ってその断面中心位置に、非伸縮性又は伸縮性の中心紐が配置されている、
ことを特徴とする請求項１ないし４のいずれか１項に記載の弾性変形可能な靴紐。
【請求項６】
前記係止領域はこぶ配列領域であり、当該こぶ配列領域に配置されるこぶ部は弾性変形可能であり、かつ所定の間隔をおいて３〜５個配置されている、
ことを特徴とする請求項１ないし５のいずれか１項に記載の弾性変形可能な靴紐。
【請求項７】
前記こぶ部の間を連結する連結部は弾性変形しないよう密に編まれている、
ことを特徴とする請求項６に記載の弾性変形可能な靴紐。
【請求項８】
前記係止領域は前記中央領域と同じ弾性率を有する紐状部である、
ことを特徴とする請求項１ないし５のいずれか１項に記載の弾性変形可能な靴紐。
【請求項９】
前記係止領域は前記左右領域と同じ弾性率を有する紐状部である、
ことを特徴とする請求項１ないし５のいずれか１項に記載の弾性変形可能な靴紐。
【考案の詳細な説明】
【技術分野】
【０００１】
本考案は、軸線方向に弾性変形可能な靴紐に関する。
【背景技術】
【０００２】
従来から軸線方向に弾性変形可能な結び目を必要としないこぶ部を有する靴紐は良く知られている。図３に示す従来のこぶ部を有する靴紐は、張力を加えることで軸線方向に弾性変形可能なこぶ部と、こぶ部同士を連結する連結部から構成され、こぶ部の弾性変形によって弾性的な締め付けを実現している（特許文献１〜３参照）。
【０００３】
従来の軸線方向に弾性変形可能な靴紐は、上記のとおり全長に渡って多数配置されたこぶ部を紐穴に挿入し、その位置を調整することによって圧着状態を維持するようにしているため、初期装着が面倒であるとともに、装着後に圧着状態を変更しようとすると、全てのこぶ部を紐穴に再度挿入し直す必要があり、煩わしいと言う問題があった。また、こぶ部の引張弾性率はほぼ同じであるため、装着場所によってテンションを変えることができなかった。更に、靴上に多くのこぶ部が現れるため、見た目が悪いと言う印象を持つユーザーも存在した。
【０００４】
本考案者らは、軸線方向に多数のこぶ部を配置した従来技術が有する課題を解決し、引張弾性率が同じこぶ部によって弾性変形する靴紐ではなく、靴紐の中間部が様々に弾性変形する新たな靴紐を提案している（特許文献４、５参照）。
【０００５】
一方、その後のユーザー調査により、つま先側が優しいテンションで、甲側からくるぶし側にかけて強いテンションで締め付けるのが最適な履き心地を得られる靴紐テンションであることが判明した。
【先行技術文献】
【特許文献】
【０００６】
【特許文献１】特許第３４９３００２号公報
【特許文献２】特許第５０７９９２６号公報
【特許文献３】特許第５３９２５１９号公報
【特許文献４】特許第６４２５３６４号公報
【特許文献５】特許第６６０６７８８号公報
【考案の概要】
【課題を解決するための手段】
【０００７】
本願考案は、上記したユーザー調査の結果を基にした最適テンションが得られる靴紐を提供することを目的とし、外部張力によって軸線方向に弾性変形可能な靴紐であって、前記靴紐は、中央領域と、当該中央領域の両側に接続される同じ長さからなる２つの左右領域と、当該左右領域にそれぞれ接続される同じ長さからなる２つの係止領域とからなり、前記左右領域の引張弾性率は前記中央領域の引張弾性率よりも大きく、前記中央領域の長さは３０ｃｍであり、前記左右領域の長さは、装着される靴の左右各列の紐穴数に対し、前記紐穴数が左右各列４穴の場合は４ｃｍとし、前記紐穴数が左右各列５穴以上の場合は、増加する１穴毎に４ｃｍ長くなるように設定されている、ことを特徴とする。
【考案の効果】
【０００８】
上記構成を有する本願考案に係る靴紐によれば、一般的に靴の大きさや形状に比例する紐穴の数に応じて、柔らかい弾性力（低弾性率）の中央領域をつま先側にセットでき、硬い弾性力（高弾性率）の左右領域を甲側からくるぶし側にかけてセットすることができる。
【０００９】
また、一実施形態として係止領域にこぶ配列領域を採用した場合、最後の紐穴と３〜５個で構成される各こぶ部との関係を調節することで、靴紐を強い弾力で締め付けたセット状態、セット状態からやや緩ませた状態、緩ませたフリーな状態に簡単に変更することができる。
【図面の簡単な説明】
【００１０】
【図１】本考案の実施形態に係る靴紐を模式的に示す図。
【図２】実施形態に係る靴紐を靴に適用した状態を示す図。
【図３】従来のこぶ部を有する紐を靴に適用した使用例を示す図。
【考案を実施するための形態】
【００１１】
以下、本考案の実施形態について図面を用いて詳細に説明する。なお、本考案はこれらの実施形態に何ら限定されるものではなく、その要旨を逸脱しない範囲内において、様々な態様で実施し得る。
【００１２】
図１は、本考案の実施形態に係る靴紐を模式的に示す図である。靴紐１は、軸線方向の中央に、所定長さの中央領域Ａが配置され、その両側に連続するように左右領域Ａが配置され、各左右領域Ｂには、それぞれ係止領域としてのこぶ配列領域Ｘが配置されている。本実施形態では、こぶ配列領域Ｘに３個のこぶ部を有する構成としているが、３〜５個あれば良い。
【００１３】
靴紐１は、組紐として全体を一体に編み込んで構成される紐であり、中央領域Ａ及び左右領域Ｂは、軸線方向に弾性変形可能となっているが、その弾性率（弾性率＝応力／ひずみ）は、左右領域Ｂの方が中央領域Ａよりも大きくなっている。即ち、中央領域Ａの方が柔らかく伸びやすく、左右領域Ｂの方が硬く伸びにくい構成となっている。
【００１４】
こぶ配列領域Ｘに配置される各こぶ部２は弾性変形可能である一方、各こぶ部２を繋ぐ連結部３は、極めて硬く編み込むことでほとんど弾性変形しないようになっている。
【００１５】
上記した基本的な靴紐１の構造及び製造方法は、本願考案者らによる特許第６４２５３６４号に詳細に開示されているため、ここではその説明を省略する。また、中央領域Ａ及び左右領域Ｂの断面は丸型としてもよく、或いは平状としても良い。靴紐１の断面を丸型又は平状とする弾性変形可能な紐の構造及び製造方法は、本願考案者らによる、特許６６０６６９５号、特許６６０６６９６号を参照されたい。
【００１６】
更に、靴紐１の断面中央位置に、芯材となる紐又は糸を配置してもよく、当該芯材の構造についても、本願考案者らによる上記各特許に詳細に記載しているので参照されたい。
【００１７】
図２は、靴紐１を靴４に装着した状態を示す図である。一般的に、靴紐を必要とする靴４には、靴紐１を通すための紐穴５が左右対称に複数個配置されており、図２では左右各列７個の紐穴５を有する靴４の例を示している。
【００１８】
前述のとおり弾性変形可能な靴紐ユーザーに対する調査によれば、多くの者が、靴４の先端側（つま先側）のテンションを緩くし、甲側のテンションを強くした方が履き心地が良いとの結果があることから、図２に示すように、弾性率が小さく伸びやすい中央領域Ａは左右各２個の紐穴５に掛け回すようにし、弾性率が大きく伸びにくい左右領域Ｂは、つま先側から３個目以降の紐穴５に掛け回すことができるように、中央領域Ａの長さと、左右領域Ｂの長さを調整している。
【００１９】
一般的に靴紐を必要とする靴４に設けられる紐穴５は最低でも４個であることから、中央領域Ａの長さは３０ｃｍで統一し、左右領域Ｂの各長さは、装着される靴の紐穴数に対応するように、紐穴数が左右各４穴の場合は４ｃｍ、紐穴数が左右各５穴以上の場合は、増加する１穴毎に４ｃｍ長くなるように設定している。
【００２０】
こぶ配列領域Ｘにあるこぶ部２は、最後に紐穴５との間で固定するものであり、図２の例では、最も内側にあるこぶ部２を最後の紐穴５と当接させる状態が靴紐１を最も強く固定したセット状態であり、中間のこぶ部２を最後の紐穴５と当接させる状態が靴紐１をやや緩めのテンションとした状態であり、最も外側にあるこぶ部２を最後の紐穴５と当接させた状態が靴紐１のテンションをほぼ開放したフリーな状態となる。
【００２１】
こぶ部２の数を増やすことで、靴紐１のテンション度合をより細かな段階で調節することができるが、実際の使用においては、こぶ部２は３〜５個あれば十分である。
【００２２】
上記した長さの各パターンの靴紐１を用意しておけば、ユーザーは自身が有する靴のタイプに合った靴紐１を選択することができ、あらゆる靴に対応した靴紐１とすることができる。
【００２３】
上記構成を有する本願考案に係る靴紐によれば、一般的に靴の大きさや形状に比例する紐穴の数に応じて、柔らかい弾性力（低弾性率）の中央領域をつま先側にセットでき、硬い弾性力（高弾性率）の左右領域を甲側からくるぶし側にかけてセットすることができる。
【００２４】
また、最後の紐穴と３〜５個で構成される各こぶ部との関係を調節することで、靴紐を強い弾力で締め付けたセット状態、セット状態からやや緩ませた状態、緩ませたフリーな状態に簡単に変更することができる。
【００２５】
なお、上記実施形態では、係止領域としてこぶ配列領域Ｘを採用した例を示したが、係止領域は、通常の靴紐と同様に「結び目」を作って縛るようにしても良い。その場合の係止領域は、中央領域と同じ弾性率で編んだ紐状とすることで柔らかく柔軟に結ぶことができ、また左右領域と同じ弾性率で編んだ紐状とすることで硬くしっかりと結ぶことができる。
【符号の説明】
【００２６】
１  靴紐
２  こぶ部
３  連結部
４  靴
５  紐穴
Ａ  中央領域
Ｂ  左右領域
Ｘ  こぶ配列領域（係止領域）
【図１】
0003226720.tif 000003
【図２】
0003226720.tif 000004
【図３】
0003226720.tif 000005